(57)【要約】【課題】本発明は、電子レンジなど高周波加熱装置のノイズの低減に関するものである。【解決手段】本体底部に設けたノイズフィルターユニット取付け金具１３を配置し、その金属金具の天井面上側にノイズフィルターユニット１１を配置し、ノイズフィルターユニット１１をカバー１４で覆うことによりノイズフィルターユニット１１上の電子部品の動作保証温度を満足させ、ノイズフィルターユニット１１としてのノイズ低減性能を向上させるとともに、マグネトロン１５等からの輻射ノイズ、つまり外乱ノイズ、に対して耐性のある高周波加熱装置が提供できる。【選択図】　図１
2004063121.tif 000002
【特許請求の範囲】
【請求項１】
本体外部を覆う本体ケースと、被調理物を収納する加熱室と、前記加熱室へ高周波を供給するマグネトロンと昇圧トランスとからなる高周波発生装置と、前記高周波発生装置を構成するマグネトロンと昇圧トランスの電気部品を冷却する冷却ファンと、前記高周波発生装置からのノイズを軽減するノイズフィルターユニットとを備え、本体底部に設けたノイズフィルターユニット取付け金具を配置し、その金属金具の天井面上側にノイズフィルターユニットを配置すると共に、ノイズフィルターユニットを金属金具で覆う構成とした高周波加熱装置。
【請求項２】
金属金具の一面もしくは多面を開放した構成の請求項１に記載の高周波加熱装置。
【請求項３】
金属金具の一面もしくは多面に通気穴を設けた構成の請求項１または２に記載の高周波加熱装置。
【請求項４】
ノイズフィルターユニットが設置された近傍から高周波加熱装置の本体内に電源ケーブルを引き込む構成とした請求項２または３に記載の高周波加熱装置。
【発明の詳細な説明】
【０００１】
【発明の属する技術分野】
本発明は、電子レンジなど高周波加熱装置の電磁ノイズ軽減に関するものである。
【０００２】
【従来の技術】
従来のこの種の高周波加熱装置は図９に示すような構成が一般的であった。この高周波加熱装置は、図９の高周波加熱装置の電気室概略斜視図に示すように、高周波加熱を行うための高周波を発生するマグネトロン５と、このマグネトロン５に高電圧を供給する高圧トランス６と、これらマグネトロン５と昇圧トランス６等を強制冷却する冷却ファン２での冷却手段とを備えた高周波加熱装置において、雑音端子電圧を低減するノイズフィルターユニット１を冷却手段にて冷却される位置に取り付け、このノイズフィルターユニット１を電気的には雑音端子電圧の出口である電源ケーブル３の商用電源側に配置したことを特徴としていた。
【０００３】
【発明が解決しようとする課題】
しかしながら、上記従来の高周波加熱装置では、高周波加熱をした時、電気部品室内の温度を上昇させる要因のマグネトロン５や高圧トランス６より、ノイズフィルターユニット１を上方に配置しているので、高周波加熱を連続動作させた場合、電気部品室内の温度が上がり、ノイズフィルターユニット１を配置した電気部品室の上方の温度が高くなる傾向にある。特に高周波加熱を非動作時に、冷却手段の冷却ファン２が止まっている間に、電気部品室の熱気が煙突効果で上方に上がり、ますます上方に配置したノイズフィルターユニット１にとって周囲温度が高くなることになる。その結果、ノイズフィルターユニット１を構成する電源ライン間コンデンサーやライン対アース間コンデンサーの周囲温度が高くなり、高い温度まで使用できる高価な部品を使わなければならないという課題を有していた。特に電熱装置が調理庫の上や下、あるいは両方に付いている電熱装置付高周波加熱装置は電熱装置を運転時、電気部品室の温度が対流によりノイズフィルターユニット１の電気部品の使用温度範囲を超えることになり、ノイズフィルターユニット１を図９に示した位置に配置できないという課題をも有していた。
【０００４】
本発明は、上記従来の課題を解決するもので、高周波加熱装置の電気室概略斜視図に示すように、ノイズフィルターユニットを本体底部に固定されるノイズフィルターユニット取付け金具に固定したうえ、カバーでノイズフィルターユニットを覆うことで、周囲温度の低い位置にノイズフィルターユニットを固定しノイズフィルターの性能安定・耐久性能向上した高周波加熱装置の提供を目的とする。
【０００５】
【課題を解決するための手段】
本発明は上記課題を解決するため、本体ケース底板にノイズフィルターユニットを設置しカバーで覆うものである。このノイズフィルターユニットの配置ならびにカバーの存在により、ノイズフィルターの性能安定を図るとともに、ノイズ低減性能を向上させるものである。
【０００６】
【発明の実施の形態】
本発明の請求項１に記載の発明は、本体ケース底板にノイズフィルターユニットを設置しカバーで覆うものである。このノイズフィルターユニットの配置により周囲温度を下げることにより部品の動作温度を保証し性能安定を図るとともに、カバーにより外来ノイズ低減を図ってノイズフィルターユニットの性能向上ができる。
【０００７】
請求項２に記載の発明は、特に、請求項１・請求項２に記載のケース構成する面の一面または多面を開放することで開放することでノイズフィルター上の部品周囲温度を下げることにより部品の動作温度を保証し性能安定を図るものである。
【０００８】
請求項３に記載の発明は、特に、請求項１・請求項２に記載のケース面上の一面または多面に通気穴を設けてノイズフィルター上の部品周囲温度を下げることにより部品の動作温度を保証し性能安定を図るとともに、外来ノイズに対するノイズ耐量を向上させるものである。
【０００９】
請求項４に記載の発明は、特に、請求項２・請求項３に記載のノイズフィルター近傍から高周波加熱装置の本体内に電源ケーブルを引き込むことで電源ケーブルを介して本体外部に伝播するノイズ量を低減させるものである。
【００１０】
【実施例】
以下、本発明の実施例ついて図１〜図８を参照しながら説明する。
【００１１】
（実施例１）
図１は本実施例を示す斜視図、図２は本実施例における一部を断面図とした側面図である。
【００１２】
図１において、ノイズフィルター１１は、本体底板１２に固定されたノイズフィルター取付け金具１３に取付けられており、このノイズフィルター１１をカバー１４が覆うように固定される。そして、ノイズフィルター１１の近傍には、高周波発生装置であるマグネトロン１５と高圧トランス１６が配置されている。
【００１３】
以上のように配置・構成されたノイズフィルター１１において、高周波を発生すると同時にノイズ発生源でもあるマグネトロン１５がら輻射され空中伝播してくるノイズに対しては、図２に示すようにカバー１４がノイズを遮蔽しノイズフィルター１１の性能が確保できる。
【００１４】
また、近年はオーブンレンジ普及に伴い使用部品保証温度に対する要求が厳しくなってきているが、この対策として極力電子部品は周囲温度が低い場所に位置させることが要求される。従って、本構成のごとくノイズフィルター１１を本体底板１２に配置できればノイズフィルター１１の温度によるノイズ低減性能劣化が防止出来る。
【００１５】
（実施例２）
図３は本発明の実施例２の高周波加熱装置を示す加熱室概略斜視図であり、ノイスフィルター１１を覆うカバー１４の２面を開放した例を示す。
【００１６】
図３において、ノイズフィルター１１のノイズ低減性能に特に問題はないもののノイズフィルター１１上の電子部品使用保証温度に余裕がない場合、カバー１４の２面を開放し、冷却ファン１７から送風される冷却風がノイズフィルター１１上の電子部品を効率よく冷却できるようにするためものである。
【００１７】
以上のように構成した場合、ノイズフィルター１１上の電子部品使用保証温度は容易に満足することが可能となるので、ノイズフィルター１１のノイズ低減性能が充分満足できるとともに、温度によるノイズ低減性能劣化が防止できる。
【００１８】
（実施例３）
図４は本発明の実施例３の高周波加熱装置を示す加熱室概略斜視図であり、ノイスフィルター１１を覆うカバー４の２面に通気穴１８を設けた構成を示す。
【００１９】
図４において、ノイズフィルター１１のノイズ低減性能が充分確保できたにもかかわらず、マグネトロン１５等からの輻射ノイズ大きく、ノイズフィルター１１上の電子部品使用保証温度に余裕がない場合にカバー１４の面に通気穴１８を設ける。
【００２０】
以上のように構成した場合、冷却ファン１７からの冷却風がノイズフィルター１１上の電子部品を効率良く冷却できるためノイズフィルター１１のノイズ低減性能が安定して得られる。
【００２１】
なお、通気穴１８は図５に示すような長穴１９の形状、図６に示すルーバー２０の形状でも同様の効果が得られる。
【００２２】
また図７は本発明の実施例３の別の高周波加熱装置を示す加熱室概略斜視図であり、ノイスフィルター１１を覆うカバー１４の２面を開放して通気穴を設けた構成を示す。
【００２３】
図４において、マグネトロン１５等からの輻射ノイズ小さく、ノイズフィルターユニット１１のノイズ低減性能が充分確保できた場合に、カバー１４の構成面に通気穴８を設ければ、ノイズフィルターユニット１１上の電子部品を更に冷却出来ることは明白である。
【００２４】
（実施例４）
図８は本発明の実施例４の高周波加熱装置を示す加熱室概略斜視図であり、ノイズフィルターユニット１１が設置された近傍から高周波加熱装置の本体内に電源ケーブル１９を引き込む構成を示す。
【００２５】
図８においてはノイズフィルターユニット１１が設置された近傍から高周波加熱装置の本体内に電源ケーブル２１を引き込み、高周波を発生すると同時にノイズ発生源でもあるマグネトロン１５から本体底板１２を介して電源ケーブル２１を隔離するものである。
【００２６】
以上のように構成した場合、高周波を発生すると同時にノイズ発生源でもあるマグネトロン１５から輻射され空中伝播してくるノイズに対して本体底板１２をシールド板代わりとしているため電源ケーブル２１には空中伝播ノイズの影響はなくなる。
【００２７】
【発明の効果】
以上のように請求項１〜４に記載の発明によれば、ノイズフィルターユニットに対する外来ノイズが排除できるうえ、温度に対する安定度を向上させることでノイズフィルターユニットのノイズ低減性能を高めることができる。
【図面の簡単な説明】
【図１】本発明の実施例１における高周波加熱装置の電気室概略斜視図
【図２】本発明の実施例１における高周波加熱装置の一部を断面とした電気室側面図
【図３】本発明の実施例２における高周波加熱装置の電気室概略斜視図
【図４】本発明の実施例３における高周波加熱装置の電気室概略斜視図
【図５】本発明の実施例３におけるカバーの斜視図
【図６】本発明の実施例３におけるカバーの斜視図
【図７】本発明の実施例４における高周波加熱装置の電気室概略斜視図
【図８】本発明の実施例４における高周波加熱装置の一部を断面とした電気室側面図
【図９】従来の高周波加熱装置の電気室概略斜視図
【符号の説明】
１１　ノイズフィルターユニット
１２　本体底板
１３　ノイズフィルター取付け金具
１４　カバー
１５　マグネトロン
１６　高圧トランス
１７　冷却ファン
１８　通気穴
１９　長穴
２０　ルーバー
２１　電源ケーブル
【図１】
2004063121.tif 000003
【図２】
2004063121.tif 000004
【図３】
2004063121.tif 000005
【図４】
2004063121.tif 000006
【図５】
2004063121.tif 000007
【図６】
2004063121.tif 000008
【図７】
2004063121.tif 000009
【図８】
2004063121.tif 000010
【図９】
2004063121.tif 000011